(57)【要約】【課題】  互いの間隔を狭めて複数の記録紙ロールを収納することができるとともに、安定して記録紙を引き出すことができるマガジンを提供する。【解決手段】  記録紙ロールユニット４０を、記録紙ロール１０と、一対の回転部材４３と、一対の支持部材４５と、から構成する。回転スリーブ４３の外周面を先細りのテーパに形成する。記録紙ロールユニット４１も記録紙ロールユニット４０と同様に構成する。記録紙ロールユニット４０、４１を、位置決め機構によりマガジン５内に位置決めする。記録紙ロール１０、１１がそれぞれ独立して回転可能になり、記録紙のスリップ傷の発生や搬送不良が抑えられる。【選択図】        図４
2006058471.tif 000002
【特許請求の範囲】
【請求項１】
記録材料に画像を記録する画像記録装置本体へ装填されるとともに、前記画像記録装置本体へ引き出される長尺な記録材料を巻芯に巻き取った記録材料ロールを収納するマガジンにおいて、
前記巻芯の両端部に装着されて前記巻芯に固定され前記記録材料ロール及び前記巻芯と共に回転する１対の回転部材、前記回転部材を回転可能に支持する支持部、並びに前記記録材料ロール、から構成される記録材料ロールユニットを収納可能であり、前記記録材料ロールの幅に応じて前記支持部を前記マガジン内に位置決めし、前記記録材料ロールユニットを前記マガジン内に位置決めする位置決め手段が設けられていることを特徴とするマガジン。
【請求項２】
前記巻芯は円筒体であり、前記回転部材は外周面がテーパとされた略円筒体であり、前記巻芯の内周面に前記回転部材の外周面を圧接させることによって、前記回転部材を前記巻芯に固定することを特徴とする請求項１記載のマガジン。
【請求項３】
複数の前記記録材料ロールユニットを収納可能であり、前記位置決め手段は、複数の前記記録材料ロールユニットを幅方向に並べて位置決めすることを特徴とする請求項１または２記載のマガジン。
【請求項４】
複数の前記記録材料ロールユニットを収納する場合には、前記支持部の一部を共有することを特徴とする請求項３記載のマガジン。
【請求項５】
前記支持部は、前記１対の回転部材を各々回転可能に支持する１対の支持部材と、前記１対の支持部材を各々保持する１対の保持部材とからなり、複数の前記記録材料ロールユニットを収納する場合には、隣り合う前記記録材料ロール間に配される保持部材を共有することを特徴とする請求項３記載のマガジン。
【発明の詳細な説明】
【技術分野】
【０００１】
本発明は、記録材料に画像を記録する画像記録装置本体へ装填されるとともに、画像記録装置本体へ搬送される長尺な記録材料を巻芯に巻き取った記録材料ロールを収納するマガジンに関するものである。
【背景技術】
【０００２】
長尺な感光記録紙（以下、記録紙）を巻芯に巻き取った記録紙ロールを収納するマガジンを有し、このマガジン内から記録紙を引き出してカッタにより所定の寸法に切断した後、所定の寸法とされたカット記録紙に露光処理、現像処理等の処理を施して画像を記録する画像記録装置が知られている。このような画像記録装置においては、作業効率を高めるため、カット記録紙を幅方向に複数列に並べて搬送し、複数のカット記録紙に同時に露光処理を施すことが行われている。なお、カット記録紙を幅方向に並べるときには、幅方向において隣り合うカット記録紙間の距離を所定距離以下とし、露光幅をできるだけ狭くすることが望ましい。
【０００３】
従来では、１本の記録紙ロールを収納するシングル用マガジンから記録紙を引き出してカッタにより切断してカット記録紙とし、このカット記録紙を振り分け機構により単列から複数列にして搬送する技術がよく用いられてきた。しかし、振り分け機構を設けると、製造コストが上昇するとともに装置本体が大型化するという問題が生じる。
【０００４】
この問題の解決のため、複数のシングル用マガジンを幅方向に並べて装置本体に装填させ、これらのシングル用マガジンからそれぞれ記録紙を引き出してカッタにより切断してカット記録紙とし、これらカット記録紙を複数列のまま搬送させる技術が提案されている（例えば、特許文献１）。しかし、複数のシングル用マガジンを幅方向に並べて装填するため装置本体が幅方向に大きくなる問題が生じる。また、幅方向におけるカット記録紙間の距離を十分に狭めることができず、搬送路上にカット記録紙間の距離を狭める幅寄せ機構を設けたり、または露光幅を広く設定したりしなければならない。
【０００５】
そこで、２本の記録紙ロールを収納するダブル用マガジンから記録紙を引き出してカッタにより切断してカット記録紙とし、これらカット記録紙を２列のまま搬送させる技術が提案されている（例えば、特許文献２）。ここでは、２本の記録紙ロールを同一の回転筒に固定しており、回転筒が回転すると、２本の記録紙ロールが同時に回転して記録紙を繰り出すようになっている。
【０００６】
【特許文献１】特開平１１−９５３３０号公報
【特許文献２】特開２００１−５６５１１号公報
【発明の開示】
【発明が解決しようとする課題】
【０００７】
しかしながら、特許文献２に記載された技術では、２本の記録紙ロールを同一の回転筒に固定しているため、２本の記録紙ロールからそれぞれ引き出される記録紙にかかるテンションに差が生じた場合に、一方の記録紙に弛みが生じたり又は一方の記録紙ロールが回転筒に対してスリップしたりして、記録紙の搬送が不安定になるという問題がある。
【０００８】
本発明は、互いの間隔を狭めて複数の記録材料ロールを収納することができるとともに、安定して記録材料を引き出すことができるマガジンを提供することを目的とする。
【課題を解決するための手段】
【０００９】
本発明は、記録材料に画像を記録する画像記録装置本体へ装填されるとともに、前記画像記録装置本体へ引き出される長尺な記録材料を巻芯に巻き取った記録材料ロールを収納するマガジンに関し、前記巻芯の両端部に装着されて前記巻芯に固定され前記記録材料ロール及び前記巻芯と共に回転する１対の回転部材、前記回転部材を回転可能に支持する支持部、並びに前記記録材料ロール、から構成される記録材料ロールユニットを収納可能であり、前記記録材料ロールの幅に応じて前記支持部を前記マガジン内に位置決めし、前記記録材料ロールユニットを前記マガジン内に位置決めする位置決め手段が設けられていることを特徴とする。
【００１０】
前記巻芯は円筒体であり、前記回転部材は外周面がテーパとされた略円筒体であり、前記巻芯の内周面に前記回転部材の外周面を圧接させることによって、前記回転部材を前記巻芯に固定することが好ましい。
【００１１】
複数の前記記録材料ロールユニットを収納可能であり、前記位置決め手段は、複数の前記記録材料ロールユニットを幅方向に並べて位置決めすることが好ましい。
【００１２】
複数の前記記録材料ロールユニットを収納する場合には、前記支持部の一部を共有することが好ましい。
【００１３】
前記支持部は、前記１対の回転部材を各々回転可能に支持する１対の支持部材と、前記１対の支持部材を各々保持する１対の保持部材とからなり、複数の前記記録材料ロールユニットを収納する場合には、隣り合う前記記録材料ロール間に配される保持部材を共有することが好ましい。
【発明の効果】
【００１４】
本発明のマガジンによれば、単数又は複数の記録材料ロールを収納することができるとともに、安定して記録材料を引き出すことができる。特に、複数の記録材料ロールを収納する場合には、互いの間隔を狭めて記録材料ロールを位置決めすることができる。また、任意の幅長さの記録材料ロールを収納することができる。
【発明を実施するための最良の形態】
【００１５】
図１に示すように、画像記録装置２は、プリンタ部３とプロセサ部４とからなる。プリンタ部３は、マガジン５、スプライスセンサ６、７、カッタ装置１７、裏印字装置１８、露光装置１９等を備えている。
【００１６】
マガジン５内には、長尺の感光記録紙１０ａ（以下、記録紙）を巻芯１２に巻き取った記録紙ロール１０と、記録紙１１ａを巻芯１３に巻き取った記録紙ロール１１とが、記録紙１０ａ、１１ａの幅方向に並べて収納されている。搬送ローラ対１４が回転すると、これらの記録紙ロール１０、１１からそれぞれ記録紙１０ａ、１１ａが引き出される。搬送ローラ対１４は、マガジン５の装置本体２ａへの装填に伴って装置本体２ａに設けられた駆動源（図示なし）に接続し、この駆動源から伝達される回転力によって回転する。なお、記録紙ロール１０は記録紙ロールユニット４０（図２参照）として、記録紙ロール１１は記録紙ロールユニット４１（図２参照）として、マガジン５内にセットされる。マガジン５及び記録紙ロールユニット４０、４１の詳細については後述する。
【００１７】
マガジン５内から装置本体２ａへ引き出された記録紙１０ａ、１１ａは、カッタ装置１７によって所定の寸法に切断されてカット記録紙１５、１６とされる。カッタ装置１７の記録紙搬送方向上流側には、スプライスセンサ６、７が設けられている。このスプライスセンサ６、７は、それぞれ記録紙１０ａ、１１ａの接合マーク（例えば、長孔）を検出するものである。接合マークは、記録紙ロール１０、１１の製造工程において、規定長さに達しない場合にスプライステープを用いて記録紙１０ａ、１１ａを接合したときに、この接合部分を使用することがないようにするためのものである。接合マークが検出されると、カッタ装置１７により記録紙１０ａ、１１ａの接合部分が切断され、接合部分は廃棄される。
【００１８】
カッタ装置１７の記録紙搬送方向下流側には、裏印字装置１８が設けられている。裏印字装置１８は、カット記録紙１５、１６の裏面にコマ番号や補正データ等の必要情報を印字する。裏印字装置１８の記録紙搬送方向下流側には、露光装置１９が設けられている。露光装置１９には、周知のレーザプリンタが内蔵されており、内部の画像メモリに記憶された画像データ、又は図示しない画像読取装置から転送された画像データに基づいて、カット記録紙１５、１６を露光して画像を潜像記録する。露光処理の際には、カット記録紙１５とカット記録紙１６とが幅方向に２列に並べられて搬送されるため、カット記録紙１５とカット記録紙１６とを同時に露光することができる。
【００１９】
画像記録がなされたカット記録紙１５、１６は、プロセサ部４へ送られる。プロセサ部４は、現像装置２０、乾燥装置２１、シート排出装置２２から構成される。現像装置２０には、記録紙搬送方向上流側から順に、現像槽２３、漂白定着槽２４、水洗槽２５が設けられている。水洗槽２５は、第１水洗槽２６、第２水洗槽２７、第３水洗槽２８、第４水洗槽２９からなる。現像槽２３には現像液が、漂白定着槽２４には漂白定着液が、また、水洗槽２５には洗浄液が所定量貯蔵されている。カット記録紙１５、１６は、現像槽２３、漂白定着槽２４、及び水洗槽２５にそれぞれ設けられた搬送ラックにより各処理槽内を搬送されて、現像・定着・洗浄の各処理が行われる。
【００２０】
乾燥装置２１は、各処理槽の上方に配置されており、搬送ベルトと送風ダクトとから構成されている。送風ダクトは、搬送ベルトに向けてヒータで熱せられた乾燥風を吹き出して、カット記録紙１５、１６を搬送ベルト側に押し付ける。この状態で送風ダクト上を通過することで、カット記録紙１５、１６は乾燥される。乾燥装置２１を通過したカット記録紙１５、１６は、シート排出装置２２に向けて送られる。シート排出装置２２では、プリントサイズまたはプリントジョブに応じてカット記録紙１５、１６を振り分け、プロセサ部４に設けられたトレイ（図示なし）に排出する。
【００２１】
以下では、マガジン５について詳細に説明する。図２に示すように、マガジン５は、マガジン本体３３と、このマガジン本体３３に開閉自在に取り付けられる蓋部材３４とから構成される。マガジン本体３３には駆動ローラ３５が設けられ、蓋部材３４にはニップローラ３６が設けられている。ニップローラ３６は、蓋部材３４が閉じられると駆動ローラ３５と周面を接する。駆動ローラ３５とニップローラ３６によって搬送ローラ対１４（図１参照）が構成される。マガジン５には、記録紙ロール１０を有する記録紙ロールユニット４０と、記録紙ロール１１を有する記録紙ロールユニット４１とが幅方向に並べてセットされる。記録紙ロールユニット４０、４１は、詳細を後述する位置決め機構４２によってマガジン５内に位置決めされてセットされる。
【００２２】
図３に示すように、記録紙ロールユニット４０は、記録紙ロール１０と、一対の回転スリーブ（回転部材）４３と、一対の支持軸（支持部材）４４と、１対のフランジ（保持部材）４５と、から構成される。なお、記録紙ロールユニット４１も記録紙ロールユニット４０と同様の構成である。
【００２３】
回転スリーブ４３は略円筒状に形成されている。回転スリーブ４３の外周面４３ａは先細りのテーパとなっている。回転スリーブ４３の一端部の外周径は記録紙ロール１０の巻芯１２の内周径より小さく、一方、回転スリーブ４３の他端部の外周径は記録紙ロール１０の巻芯１２の内周径より大きくされている。なお、巻芯１２は円筒状に形成されている。
【００２４】
支持軸４４は略円柱状に形成されており、支持軸４４の外周径は回転スリーブ４３の内周径よりも若干小さくされている。支持軸４４と回転スリーブ４３との間には、図示は省略したが軸受が設けられており、支持軸４４上で回転スリーブ４３が円滑に回転する。支持軸４４の軸方向における一方の端部には、径方向に突出する突起４４ａが設けられている。この突起４４ａにより、回転スリーブ４３が支持軸４４から離脱することを防ぐことができる。フランジ４５は円板状に形成されている。フランジ４５の中央部には、突起４４ａが形成されていない側の支持軸４４の端部が、ネジ４６によって固定される。なお、上記では、支持軸４４とフランジ４５とを別体で構成し、ネジ４６によってこれらを固定したが、これに替えて、支持軸４４とフランジ４５とを成形加工等により一体に形成してもよい。この場合には、支持軸４４の先端に、回転スリーブ４３の離脱を防止するリングを固定する。
【００２５】
回転スリーブ４３を支持軸４４及びフランジ４５に回転可能に支持させた状態で、巻芯１２の両端部において、回転スリーブ４３の外周面４３ａを巻芯１２の内周面１２ａに圧接させる。この動作により、回転スリーブ４３が巻芯１２に固定される（図４参照）。これによって、回転スリーブ４３、巻芯１２、及び記録紙ロール１０が一体となり、支持軸４４及びフランジ４５に対して回転可能な状態となる。このようにして記録紙ロールユニット４０が組み立てられる。
【００２６】
図２に示すように、位置決め機構４２は、レール５０と、組み立てられた記録紙ロールユニット４０を位置決めする１対のブラケット（固定部材）５１及び１対のピン５２と、組み立てられた記録紙ロールユニット４１を位置決めする１対のブラケット５１及び１対のピン５３と、から構成される。レール５０は、マガジン本体３３の底部に固定されている。ブラケット５１は、断面がＬ字状に形成されており、水平部が取付片５１ａ、垂直部が移動規制片５１ｂとなっている。取付片５１ａには、ピン５２、５３が挿通する孔５１ｃが形成されている。移動規制片５１ｂは、フランジ４５の外側面に接して、記録紙ロールユニット４０、４１のマガジン５内での軸方向での移動を規制する。
【００２７】
図４に示すように、レール５０には、長さ方向に沿って、複数のピン孔５４〜５８が形成されている。ピン孔５４にはピン５２が挿入され、ピン孔５５にはピン５３が挿入される。
【００２８】
ピン５２を孔５１ｃ（図２参照）に係合させた状態で、ピン５２をピン孔５４に挿入固定することにより、記録紙ロールユニット４０はマガジン５内の所定位置に位置決めされる。また、ピン５３を孔５１ｃ（図２参照）に係合させた状態で、ピン５３をピン孔５５に挿入固定することにより、記録紙ロールユニット４１はマガジン５内の所定位置に位置決めされる。記録紙ロールユニット４０、４１は、幅方向に並べられた状態で位置決めされる。記録紙ロールユニット４０、４１にそれぞれ回転可能に支持された記録紙ロール１０、１１は、互いに独立して回転することができる。また、フランジ４５も、マガジン５に収納された状態で、支持軸４４を中心として回転可能に保持される。
【００２９】
なお、上記では、マガジン５に、２組の記録紙ロールユニット４０、４１を収納することとしたが、１組の記録紙ロールユニット４０のみを収納することとしてもよい。この場合には、ピン５２をレール５０のピン孔５６に挿入する。また、１組の記録紙ロールユニット４０のみを収納する場合において、記録紙ロールの幅が広い場合には、幅長さに応じて、ピン５２をピン孔５７やピン孔５８に挿入すればよい。上記の位置決め機構４２の替わりに、移動規制片５１ｂを任意の位置で位置決めすることができる位置決め機構を用いれば、任意の幅長さの記録紙ロールを収納することができる。
【００３０】
このように、本例のマガジン５によれば、簡易な構成により単数の記録紙ロール１０、又は複数の記録紙ロール１０、１１を収納することができる。また、簡易な構成により任意の幅長さの記録紙ロールを収納することができる。本例のマガジン５によれば、それぞれの記録紙ロール１０、１１は互いに独立して回転するため、搬送ローラ１４によって引き出される記録紙１０ａ、１１ａには適切なテンションがかかり、記録紙１０ａ、１１ａを安定して搬送することができる。
【００３１】
以下では、上記構成による作用について説明する。マガジン５を装置本体２ａから取り外し、マガジン５の蓋部材３４を開けて、記録紙ロールユニット４０、４１を幅方向に並べて収納する。ここで、１つの記録紙ロールユニット４０のみを収納することもできる。そして、マガジン５の蓋部材３４を閉じ、記録紙ロールユニット４０、４１が収納されたマガジン５を装置本体２ａに装填する。
【００３２】
搬送ローラ対１４が回転すると、記録紙１０ａ、１１ａがそれぞれ記録紙ロール１０、１１から引き出される。記録紙１０ａ、１１ａが引き出される際には、記録紙ロール１０、１１はそれぞれ独立して回転するため、記録紙１０ａ、１１ａは安定して引き出される。記録紙１０ａ、１１ａは、カッタ装置１７によって同時に切断され、幅方向に２列に並んだカット記録紙１５、１６となる。２列に並んだカット記録紙１５、１６は、露光装置１９へと搬送され、同時に露光処理が施される。ここで、カット記録紙１５とカット記録紙１６の幅方向における間隔は狭いため、露光幅は狭く設定することができる。画像を潜像記録されたカット記録紙１５、１６は、プロセサ部４へと搬送され、各種処理が施されて写真プリントとされる。
【００３３】
なお、上記実施形態では、マガジンに２組の記録紙ロールユニットを収納することとしたが、２組より多い記録紙ロールユニットを収納することとしてもよい。また、複数の記録紙ロールユニットを収納する場合に、記録紙ロールの幅長さがそれぞれ異なるものであってもよい。
【００３４】
マガジンに複数の記録紙ロールユニットを収納する場合には、図５に示すように、互いに隣り合う記録紙ロールユニットにおいてフランジ６０を共有することとしてもよい。これにより、記録紙ロール１０と記録紙ロール１１の間隔をより狭めることができ、露光処理の作業効率がより高められる。また、画像記録装置の装置幅を狭くして画像記録装置を設計することができる。
【００３５】
マガジンに複数の記録紙ロールユニットを収納する場合には、図６に示すように、互いに隣り合う記録紙ロールユニットにおいて、記録紙ロール間のフランジを取り除き、隣り合う支持軸７０を互いに固着させることとしてもよい。これにより、記録紙ロール１０と記録紙ロール１１の間隔をより狭めることができる。この場合、隣り合う支持軸７０を一体に形成してもよい。
【００３６】
上記実施形態では、フランジ４５をマガジン５内で回転可能に保持したが、これに替えて、フランジ４５とブラケット５１とをネジ等で固定してもよい。この場合にも、記録紙ロール１０、１１は、支持軸４４及びフランジ４５に対して回転可能である。
【００３７】
上記実施形態では特に言及しなかったが、収納されている記録紙ロールを識別することができる書換え可能なＩＤチップをマガジンに設けることが好ましい。
【図面の簡単な説明】
【００３８】
【図１】画像記録装置の概略図である。
【図２】マガジンの概略斜視図である。
【図３】記録紙ロールユニットの分解斜視図である。
【図４】記録紙ロールユニットが収納されたマガジンの断面図である。
【図５】別の実施形態における、記録紙ロールユニットが収納されたマガジンの断面図である。
【図６】別の実施形態における、記録紙ロールユニットが収納されたマガジンの断面図である。
【符号の説明】
【００３９】
２  画像記録装置
５  マガジン
１０、１１  記録紙ロール
１２、１３  巻芯
１５、１６  カット記録紙
４０、４１  記録紙ロールユニット
４２  位置決め機構
４３  回転スリーブ
４４  支持軸
４５  フランジ
【図１】
2006058471.tif 000003
【図２】
2006058471.tif 000004
【図３】
2006058471.tif 000005
【図４】
2006058471.tif 000006
【図５】
2006058471.tif 000007
【図６】
2006058471.tif 000008